(57)【特許請求の範囲】
【請求項１】
制御パラメータを調節する方法であって、
端末をソース・セルからターゲット・セルにハンドオーバすることができないか、又は、前記端末がソース・セルからターゲット・セルに首尾よくハンドオーバされ、無線リンク接続障害が、前記端末と前記ターゲット・セルとの間で確立された無線リンク上で生じた場合、再確立されたセルとの無線リンクを前記端末によって再確立する工程と、
前記再確立されたセルの基地局に通知メッセージを前記端末によって送出し、前記通知メッセージは前記端末の移動速度情報及び／又は前記ターゲット・セルのサイズ情報を収容し、よって、前記再確立されたセルの前記基地局は、前記端末の前記移動速度情報及び／又は前記ターゲット・セルの前記サイズ情報に応じてモビリティ制御パラメータを調節し、前記調節されたモビリティ制御パラメータを前記端末に送出する工程と
を含む方法。
【請求項２】
請求項１記載の、制御パラメータを調節する方法であって、前記端末の前記移動速度情報は前記端末の移動状態情報及び／又は前記端末の移動速度値を含み、前記端末の前記移動状態情報は、前記端末が高移動状態にあること、前記端末が中移動状態にあること、又は前記端末が通常移動状態にあることを含む方法。
【請求項３】
請求項１又は２に記載の制御パラメータを調節する方法であって、
前記ターゲット・セルの前記サイズ情報は、ターゲット・セルが大規模セルであること、ターゲット・セルが中規模セルであること、又はターゲット・セルが小規模セルであること、又はターゲット・セルがピコ・セルであることを含む方法。
【請求項４】
請求項１乃至３の何れか一項に記載の、制御パラメータを調節する方法であって、前記通知メッセージは更に、イベント・タイプ・フラグ及び／又はモビリティ制御パラメータを収容し、前記モビリティ制御パラメータは、ハンドオーバ制御パラメータ、端末移動状態制御パラメータ、及びターゲット・セル・サイズ制御パラメータの少なくとも１つを含み、前記イベント・タイプ・フラグは、前記イベント・タイプが無線リンク障害又はセル・ハンドオーバ障害を含む方法。
【請求項５】
請求項１乃至４の何れか一項に記載の制御パラメータを調節する方法であって、更に、
前記ターゲット・セルのシステム報知又は専用シグナリングを使用することにより、前記ターゲット・セルの電力を前記端末によって取得し、前記ターゲット・セルの前記電力に応じて前記ターゲット・セルの前記サイズ情報を取得する工程、又は、
前記ターゲット・セルのシステム報知又は専用シグナリングに収容された前記ターゲット・セルの前記サイズ情報を前記端末によって取得する工程を含む方法。
【請求項６】
制御パラメータを調節する方法であって、
端末によって送出された通知メッセージを再確立されたセルの基地局によって受信し、前記通知メッセージは、前記端末の移動速度情報及び／又はターゲット・セルのサイズ情報を収容し、前記端末によって送出されたソース・セルの識別子又は前記ターゲット・セルの識別子を受信する工程と、
前記ソース・セルの前記識別子又は前記ターゲット・セルの前記識別子に応じて前記ソース・セルの基地局又は前記ターゲット・セルの基地局に無線リンク障害表示メッセージを、前記再確立されたセルの前記基地局によって送出し、前記無線リンク障害表示メッセージは、前記ターゲット・セルの前記サイズ情報及び／又は前記端末の前記移動速度情報を収容し、よって、前記ターゲット・セルの前記基地局又は前記ソース・セルの前記基地局は、前記ターゲット・セルの前記サイズ情報及び／又は前記端末の前記移動速度情報に応じてモビリティ制御パラメータを調節し、前記調節されたモビリティ制御パラメータを前記端末に送出する方法。
【請求項７】
請求項６記載の、制御パラメータを調節する方法であって、端末によって送出された通知メッセージを、再確立されたセルの基地局によって受信した後、前記方法は更に、
前記ターゲット・セルの前記サイズ情報及び／又は前記端末の前記移動速度情報に応じて前記モビリティ制御パラメータを、前記再確立されたセルの前記基地局によって調節し、前記調節されたモビリティ制御パラメータを前記端末に送出する方法。
【請求項８】
請求項６又は７に記載された、制御パラメータを調節する方法であって、前記端末によって送出され、前記再確立されたセルの前記基地局によって受信された通知メッセージの量が、予め設定された閾値を超える場合、前記方法は更に、
前記通知メッセージに収容された前記端末の移動速度情報を分類し、前記分類後に、前記端末の移動速度情報のタイプに対応する通知メッセージの量を判定し、最大通知メッセージ量に対応する前記端末の移動速度情報のタイプを判定し、前記最大通知メッセージ量に対応する前記端末の移動速度情報の前記タイプに応じて前記モビリティ制御パラメータを調節し、前記調節されたモビリティ制御パラメータを前記端末に送出する工程と、
前記通知メッセージに収容された前記ターゲット・セルのサイズ情報を分類し、前記分類後に、前記ターゲット・セルのサイズ情報のタイプに対応する通知メッセージの量を判定し、最大通知メッセージ量に対応する前記ターゲット・セルのサイズ情報のタイプを判定し、前記最大通知メッセージ量に対応する前記ターゲット・セルのサイズ情報の前記タイプに応じて前記モビリティ制御パラメータを調節し、前記調節されたモビリティ制御パラメータを前記端末に送出する工程、又は、
前記通知メッセージに収容された前記端末の移動速度情報のタイプ及び前記ターゲット・セルのサイズ情報のタイプの組み合わせタイプを判定し、前記組み合わせタイプに対応する通知メッセージの量を判定し、最大通知メッセージ量に対応する組み合わせタイプを判定し、前記最大通知メッセージに対応する前記組み合わせタイプに応じて前記モビリティ制御パラメータを調節し、前記調節されたモビリティ制御パラメータを前記端末に送出する工程を含む方法。
【請求項９】
端末であって、
前記端末をソース・セルからターゲット・セルにハンドオーバすることができないか、又は前記端末がソース・セルからターゲット・セルに首尾よくハンドオーバされ、前記端末と前記ターゲット・セルとの間に確立された無線リンク上で無線リンク接続障害が生じた場合に、再確立されたセルとの無線リンクを再確立するよう構成された無線リンク再確立装置と、
前記無線リンク再確立装置が、前記再確立されたセルとの前記無線リンクを再確立した後に、前記再確立されたセルの基地局に通知メッセージを送出し、前記通知メッセージは前記ターゲット・セルのサイズ情報及び／又は前記端末の速度情報を収容し、よって、前記再確立されたセルの前記基地局は、前記ターゲット・セルの前記サイズ情報及び／又は前記端末の前記移動速度情報に応じてモビリティ制御パラメータを調節し、前記調節されたモビリティ制御パラメータを前記端末に送出するよう構成された送出装置とを備える端末。
【請求項１０】
請求項９記載の端末であって、
前記ターゲット・セルの専用シグナリング又はシステム報知を使用することにより、前記ターゲット・セルの電力を取得し、前記ターゲット・セルの前記電力に応じて前記ターゲット・セルの前記サイズ情報を取得し、又は、前記ターゲット・セルの専用シグナリング又はシステム報知に収容された前記ターゲット・セルの前記サイズ情報を取得するよう構成された取得装置とを備える端末。
【請求項１１】
基地局であって、
端末によって送出された通知メッセージを受信し、前記通知メッセージは、前記端末の移動速度情報及び／又はターゲット・セルのサイズ情報を収容し、前記端末によって送出されたソース・セルの識別子又は前記ターゲット・セルの識別子を受信するよう構成された第１の受信装置と、
前記ソース・セルの前記識別子又は前記ターゲット・セルの前記識別子に応じて前記ソース・セルの基地局又は前記ターゲット・セルの基地局に無線リンク障害表示メッセージを送出し、前記無線リンク障害表示メッセージは、前記ターゲット・セルの前記サイズ情報及び／又は前記端末の前記移動速度情報を収容し、よって、前記ターゲット・セルの前記基地局又は前記ソース・セルの前記基地局は、前記ターゲット・セルの前記サイズ情報及び／又は前記端末の前記移動速度情報に応じてモビリティ制御パラメータを調節し、前記調節されたモビリティ制御パラメータを前記端末に送出するよう構成された第１の送出装置とを備える基地局。
【請求項１２】
請求項１１記載の基地局であって、
前記第１の受信装置によって受信された前記ターゲット・セルの前記サイズ情報及び／又は前記端末の前記移動速度情報に応じて前記モビリティ制御パラメータを調節するよう構成された第１のパラメータ調節装置を更に備え、
前記第１の送出装置は、前記第１のパラメータ調節装置によって調節された前記モビリティ制御パラメータを前記端末に送出するよう更に構成された基地局。
【発明の詳細な説明】
【技術分野】
【０００１】
本出願は、その全部を参照により、本明細書及び特許請求の範囲に援用する「ＭＥＴＨＯＤ，  ＴＥＲＭＩＮＡＬ，  ＢＡＳＥ  ＳＴＡＴＩＯＮ，  ＡＮＤ  ＳＹＳＴＥＭ  ＦＯＲ  ＡＤＪＵＳＴＩＮＧ  ＣＯＮＴＲＯＬ  ＰＡＲＡＭＥＴＥＲＳ」と題する西暦２０１１年８月２５日付の中国専利局に出願した中国特許出願第２０１１１０２４６８０７．Ｘの優先権を主張する。
【０００２】
本発明は、通信技術の分野に関し、具体的には、制御パラメータを調節する方法、端末、基地局、及びシステムに関する。
【背景技術】
【０００３】
端末が、接続された状態にある場合、ソース・セルは端末のモビリティ制御パラメータの値を提供し、ソース・セルは端末をターゲット・セルにハンドオーバし得、
ハンドオーバができなかった場合、端末は、再確立されたセルを選択し、再確立されたセルとの無線リンクを再確立し得、又は、
ハンドオーバが首尾よく行われたが、その後、無線リンク接続障害が端末とターゲット・セルとの間で生じた場合、端末は更に、予め確立されたセルを選択し、再確立されたセルとの無線リンクを再確立し得る。
【０００４】
上記２つのケースでは、再確立されたセルは、ソース・セル、ターゲット・セル、又はソース・セル及びターゲット・セル以外のセルであり得る。
【０００５】
端末がソース・セルとの接続を確立した後にソース・セルによって送出されるモビリティ制御パラメータは、ハンドオーバ制御パラメータ、端末移動状態制御パラメータ、ターゲット・セル・サイズ制御パラメータ等を含み得る。ハンドオーバ制御パラメータは、測定イベントのトリガまでの時間（Ｔｉｍｅ  Ｔｏ  Ｔｒｉｇｇｅｒ）、測定イベントのオフセット、レイヤ１フィルタリング時間Ｔ、レイヤ３フィルタリング係数Ｋ等を含む。端末移動状態制御パラメータは、高移動状態に対応するスケール係数ｓｆ−Ｈｉｇｈ、中移動状態に対応するスケール係数ｓｆ−Ｍｅｄｉｕｍ等を含む。ターゲット・セル・サイズ制御パラメータは、大規模セルに対応するスケール係数ｓｆ−Ｌａｒｇｅ及び小規模セルに対応するスケール係数ｓｆ−Ｓｍａｌｌ等を含む。
【０００６】
端末は、その移動状態を検出し、その移動状態に応じて、対応するスケール係数を選択して、ハンドオーバ制御パラメータをスケーリングする。Ｔｉｍｅ  Ｔｏ  Ｔｒｉｇｇｅｒを例として使用すれば、
ＵＥ自体が高移動状態にあるとＵＥが検出すると、ＵＥはハンドオーバ制御パラメータを
Ｔｉｍｅ  Ｔｏ  Ｔｒｉｇｇｅｒ１  ＝＝  Ｔｉｍｅ  Ｔｏ  Ｔｒｉｇｇｅｒ  ×  ｓｆ−Ｈｉｇｈ
のようにスケーリングし、
ＵＥ自体が中移動状態にあるとＵＥが検出すると、ＵＥはＴｉｍｅ  Ｔｏ  Ｔｒｉｇｇｅｒを
Ｔｉｍｅ  Ｔｏ  Ｔｒｉｇｇｅｒ２  ＝＝  Ｔｉｍｅ  Ｔｏ  Ｔｒｉｇｇｅｒ  ×  ｓｆ−Ｍｅｄｉｕｍ
のようにスケーリングし、
ＵＥ自体が通常移動状態にあるとＵＥが検出すると、ＵＥはＴｉｍｅ  Ｔｏ  Ｔｒｉｇｇｅｒをスケーリングしない。
【０００７】
明らかに、Ｔｉｍｅ  Ｔｏ  Ｔｒｉｇｇｅｒが本明細書の説明のための例として使用されるにすぎない。他のハンドオーバ制御パラメータも上述の態様でスケーリングし得る。
【０００８】
移動状態に応じてスケーリングが行われた後、ＵＥはターゲット・セルのサイズを判定し、ターゲット・セルのサイズに応じて、対応するセル・サイズ・スケール係数を選択して、ハンドオーバ制御パラメータをスケーリングする。Ｔｉｍｅ  Ｔｏ  Ｔｒｉｇｇｅｒを例としてなお使用すれば、
スケーリングが移動状態に応じて行われた後（例えば、スケーリングが高移動状態に応じて行われた後）、ターゲット・セルが大規模セルであるとＵＥが判定した場合、ＵＥは、Ｔｉｍｅ  Ｔｏ  Ｔｒｉｇｇｅｒ１を
Ｔｉｍｅ  Ｔｏ  Ｔｒｉｇｇｅｒ３  ＝＝  Ｔｉｍｅ  Ｔｏ  Ｔｒｉｇｇｅｒ１  ×  ｓｆ−Ｌａｒｇｅ
のようにスケーリングする。
【０００９】
スケーリングが移動状態に応じて行われた後（例えば、スケーリングが中移動状態に応じて行われた後）、ターゲット・セルが小規模セルであるとＵＥが判定した場合、ＵＥは、Ｔｉｍｅ  Ｔｏ  Ｔｒｉｇｇｅｒ２を
Ｔｉｍｅ  Ｔｏ  Ｔｒｉｇｇｅｒ４  ＝＝  Ｔｉｍｅ  Ｔｏ  Ｔｒｉｇｇｅｒ２  ×  ｓｆ−Ｓｍａｌｌ
のようにスケーリングする。
【００１０】
ターゲット・セルが通常セルであるとＵＥが判定した場合、ＵＥはＴｉｍｅ  Ｔｏ  Ｔｒｉｇｇｅｒをもうスケーリングしない。
【００１１】
明らかに、移動状態に応じたスケーリングが最初に行われるか、又はセル・サイズによるスケーリングが最初に行われるかは、最終的なスケーリング効果に対して影響を及ぼさず、順序を逆にし得る。
【００１２】
ＵＥは、スケーリングされたハンドオーバ制御パラメータを使用して現在のハンドオーバ処理を制御する。
【発明の概要】
【発明が解決しようとする課題】
【００１３】
従来技術におけるモビリティ制御パラメータは、ＵＥの移動特性に対して大きな影響を及ぼす。ＵＥリンク接続失敗率とＵＥピンポン・ハンドオーバ・レートとの間のよりよいバランスを達成するために、従来技術における基地局は、多くの屋外試験、データ収集、及び統計解析を行って、前述の制御パラメータの適切な値を事前に判定する必要があり、端末によって使用されたモビリティ制御パラメータを自動的に調節することができない。
【課題を解決するための手段】
【００１４】
本発明の実施例は制御パラメータを調節する方法を提供し、よって、基地局は端末によって使用されるモビリティ制御パラメータを自動的に調節することが可能であり、端末リンク接続失敗率と端末ピンポン・ハンドオーバ・レートとの間のよりよいバランスが達成される。本発明の実施例は更に、対応する端末及び基地局を提供する。
【００１５】
制御パラメータを調節する方法は、
端末をソース・セルからターゲット・セルにハンドオーバすることができないか、又は、端末がソース・セルからターゲット・セルに首尾よくハンドオーバされ、無線リンク接続障害が、端末とターゲット・セルとの間で確立された無線リンク上で生じた場合、再確立されたセルとの無線リンクを端末によって再確立する工程と、
再確立されたセルの基地局に通知メッセージを端末によって送出し、通知メッセージは端末の移動速度情報及び／又はターゲット・セルのサイズ情報を収容し、よって、再確立されたセルの基地局は、端末の移動速度情報及び／又はターゲット・セルのサイズ情報に応じてモビリティ制御パラメータを調節し、調節されたモビリティ制御パラメータを端末に送出する工程とを含む。
【００１６】
制御パラメータを調節する方法は、
端末によって送出された通知メッセージを再確立されたセルの基地局によって受信し、通知メッセージは、端末の移動速度情報及び／又はターゲット・セルのサイズ情報を収容し、端末によって送出されたソース・セルの識別子又はターゲット・セルの識別子を受信する工程と、
ソース・セルの識別子又はターゲット・セルの識別子に応じてソース・セルの基地局又はターゲット・セルの基地局に無線リンク障害表示メッセージを、再確立されたセルの基地局によって送出し、無線リンク障害表示メッセージは、ターゲット・セルのサイズ情報及び／又は端末の移動速度情報を収容し、よって、ターゲット・セルの基地局又はソース・セルの基地局は、ターゲット・セルのサイズ情報及び／又は端末の移動速度情報に応じてモビリティ制御パラメータを調節し、調節されたモビリティ制御パラメータを端末に送出する工程とを含む。
【００１７】
制御パラメータを調節する方法は、
再確立されたセルの基地局によって送出された無線リンク障害表示メッセージをターゲット・セルの基地局によって受信する工程であって、無線リンク障害表示メッセージが、ターゲット・セルのサイズ情報及び／又は端末の移動速度情報を収容する工程と、
ソース・セルの基地局にハンドオーバ通知メッセージをターゲット・セルの基地局によって送出し、ハンドオーバ通知メッセージはターゲット・セルのサイズ情報及び／又は端末の移動速度情報を収容し、よって、ソース・セルの基地局は、ターゲット・セルのサイズ情報及び／又は端末の移動速度情報に応じてモビリティ制御パラメータを調節し、調節されたモビリティ制御パラメータを端末に送出する工程とを含む。
【００１８】
制御パラメータを調節する方法は、
再確立されたセルの基地局によって送出された無線リンク障害表示メッセージ、又はターゲット・セルの基地局によって送出されたハンドオーバ通知メッセージをソース・セルの基地局によって受信する工程であって、無線リンク障害表示メッセージ又はハンドオーバ通知メッセージが、ターゲット・セルのサイズ情報及び／又は端末の移動速度情報を収容する工程と、
ターゲット・セルのサイズ情報及び／又は端末の移動速度情報に応じてモビリティ制御パラメータを調節し、調節されたモビリティ制御パラメータを端末に送出する工程とを含む。
【００１９】
端末は、
端末をソース・セルからターゲット・セルにハンドオーバすることができないか、又は端末がソース・セルからターゲット・セルに首尾よくハンドオーバされ、端末とターゲット・セルとの間に確立された無線リンク上で無線リンク接続障害が生じた場合に、再確立されたセルとの無線リンクを再確立するよう構成された無線リンク再確立装置と、
無線リンク再確立装置が、再確立されたセルとの無線リンクを再確立した後に、再確立されたセルの基地局に通知メッセージを送出し、通知メッセージはターゲット・セルのサイズ情報及び／又は端末の速度情報を収容し、よって、再確立されたセルの基地局は、ターゲット・セルのサイズ情報及び／又は端末の移動速度情報に応じてモビリティ制御パラメータを調節し、調節されたモビリティ制御パラメータを端末に送出するよう構成された送出装置とを備える。
【００２０】
基地局は、
端末によって送出された通知メッセージを受信し、通知メッセージは、端末の移動速度情報及び／又はターゲット・セルのサイズ情報を収容し、端末によって送出されたソース・セルの識別子又はターゲット・セルの識別子を受信するよう構成された第１の受信装置と、
ソース・セルの識別子又はターゲット・セルの識別子に応じてソース・セルの基地局又はターゲット・セルの基地局に無線リンク障害表示メッセージを送出し、無線リンク障害表示メッセージは、ターゲット・セルのサイズ情報及び／又は端末の移動速度情報を収容し、よって、ターゲット・セルの基地局又はソース・セルの基地局は、ターゲット・セルのサイズ情報及び／又は端末の移動速度情報に応じてモビリティ制御パラメータを調節し、調節されたモビリティ制御パラメータを端末に送出するよう構成された第１の送出装置とを備える。
【００２１】
基地局は、
再確立されたセルの基地局によって送出された無線リンク障害表示メッセージを受信するよう構成された第２の受信装置であって、無線リンク障害表示メッセージが、タ―ゲット・セルのサイズ情報及び／又は端末の移動速度情報を収容する第２の受信装置と、
ソース・セルの基地局にハンドオーバ通知メッセージを送出し、ハンドオーバ通知メッセージはターゲット・セルのサイズ情報及び／又は端末の移動速度情報を収容し、よって、ソース・セルの基地局は、ターゲット・セルのサイズ情報及び／又は端末の移動速度情報に応じてモビリティ制御パラメータを調節し、調節されたモビリティ制御パラメータを端末に送出するよう構成された第２の送出装置とを備える。
【００２２】
基地局は、
再確立されたセルの基地局によって送出された無線リンク障害表示メッセージ、又はターゲット・セルの基地局によって送出されたハンドオーバ通知メッセージを受信するよう構成された第３の受信装置であって、無線リンク障害表示メッセージ又はハンドオーバ通知メッセージが、ターゲット・セルのサイズ情報及び／又は端末の移動速度情報を収容する第３の受信装置と、
第３の受信装置によって受信されたハンドオーバ通知メッセージ又は無線リンク障害表示メッセージに収容されたターゲット・セルのサイズ情報及び／又は端末の移動速度情報に応じてモビリティ制御パラメータを調節するよう構成された第３のパラメータ調節装置と、
第３のパラメータ調節装置によって調節されたモビリティ制御パラメータを端末に送出するよう構成された第３の送出装置とを備える。
【００２３】
制御パラメータを調節するシステムは、端末、第１の基地局、第２の基地局、及び第３の基地局を含み、
端末を第１の基地局から第２の基地局にハンドオーバすることができないか、又は、端末が第１の基地局から第２の基地局に首尾よくハンドオーバされ、無線リンク接続障害が端末と第２の基地局との間に確立された無線リンク上で生じた場合、端末は第３の基地局との無線リンクを再確立し、通知メッセージを第３の基地局に送出し、通知メッセージは端末の速度情報及び／又はターゲット・セルのサイズ情報を収容し、
第３の基地局が、端末によって送出された通知メッセージを受信し、端末によって送出されたソース・セルの識別子、又はターゲット・セルの識別子を受信した後、第３の基地局は無線リンク障害表示メッセージを、ターゲット・セルの識別子又はソース・セルの識別子に応じて第２の基地局又は第１の基地局に送出し、無線リンク障害表示メッセージは端末の移動速度情報及び／又はターゲット・セルのサイズ情報を収容し、
第２の基地局が、第３の基地局によって送出された無線リンク障害表示メッセージを受信した後、第２の基地局はソース・セルの識別子に応じて第１の基地局にハンドオーバ通知メッセージを送出し、ハンドオーバ通知メッセージは、端末の移動速度情報及び／又はターゲット・セルのサイズ情報を収容し、
第１の基地局は、第２の基地局によって送出されるハンドオーバ通知メッセージ又は第３の基地局によって送出される無線リンク障害表示メッセージを受信し、無線リンク障害メッセージ又はハンドオーバ通知メッセージは端末の移動速度情報及び／又はターゲット・セルのサイズ情報を収容し、
第１の基地局は、ターゲット・セルのサイズ情報及び／又は端末の移動速度情報に応じてモビリティ制御パラメータを調節し、調節されたモビリティ制御パラメータを端末に送出する。
【００２４】
本発明の実施例では、端末は通知メッセージを再確立されたセルに送出し、通知メッセージはターゲット・セルのサイズ情報及び／又は端末の速度情報を収容し、再確立されたセルは無線リンク障害表示メッセージをターゲット・セル又はソース・セルに送出する。ソース・セルは、再確立されたセルによって送出された無線リンク障害表示メッセージ又はターゲット・セルによって送出されたハンドオーバ通知メッセージを受信し、無線リンク障害表示メッセージ又はハンドオーバ通知メッセージは端末の移動速度情報及び／又はターゲット・セルのサイズ情報を収容し、ソース・セルは端末の移動速度情報及び／又はターゲット・セルのサイズ情報に応じてモビリティ制御パラメータを調節し、調節されたモビリティ制御パラメータを端末に送出する。
【００２５】
ソース・セルがモビリティ制御パラメータの初期値を供給した後に手作業で制御パラメータが調節される従来技術と比較すると、本発明の実施例において提供される、制御パラメータを調節する方法は、ソース・セルが、端末の移動速度情報及び／又はターゲット・セルのサイズ情報に応じてモビリティ制御パラメータを自動的に調節することを可能にし、それにより、端末リンク接続失敗率と端末ピンポン・ハンドオーバ・レートとの間のよりよいバランスが確実にされる。
【図面の簡単な説明】
【００２６】
【図１】本発明の実施例による、制御パラメータを調節する方法の実施例を示す概略図である。
【図２】本発明の実施例による、制御パラメータを調節する方法の別の実施例を示す概略図である。
【図３】本発明の実施例による端末を示す概略図である。
【図４】本発明の実施例による基地局の実施例を示す概略図である。
【図５】本発明の実施例による基地局の別の実施例を示す概略図である。
【図６】本発明の実施例による基地局の別の実施例を示す概略図である。
【図７】本発明の実施例による基地局の別の実施例を示す概略図である。
【図８】本発明の実施例によるシステムの実施例を示す概略図である。
【図９】本発明の実施例によるシステムの別の実施例を示す概略図である。
【発明を実施するための形態】
【００２７】
本発明の実施例は制御パラメータを調節する方法を提供し、よって、基地局は端末によって使用されるモビリティ制御パラメータを自動的に調節することが可能であり、端末リンク接続失敗率と端末ピンポン・ハンドオーバ・レートとの間のよりよいバランスが達成される。本発明の実施例は更に、対応する端末、基地局、及びシステムを提供する。本発明の実施例は以下に詳細に説明する。
【００２８】
モビリティ制御パラメータは端末のモビリティに関するパラメータを含む。
(実施例)
図１を参照するに、本発明の実施例による、制御パラメータを調節する方法の実施例は以下を含む。
【００２９】
１０１.  端末は通知メッセージを、再確立されたセルに送出し、通知メッセージは端末の速度情報及び／又はターゲット・セルのサイズ情報を収容する。
【００３０】
端末がソース・セルとの接続を確立した後、ソース・セルはモビリティ制御パラメータの初期値を端末に送出し、モビリティ制御パラメータは、ハンドオーバ制御パラメータ、端末移動状態制御パラメータ、ターゲット・セル・サイズ制御パラメータ等を含む。ハンドオーバ制御パラメータはハンドオーバ処理に関するパラメータを含み、端末移動状態は、端末移動状態に関するパラメータを含む。ハンドオーバ制御パラメータは、測定イベントのトリガまでの時間（Ｔｉｍｅ  Ｔｏ  Ｔｒｉｇｇｅｒ）、測定イベントのオフセット、レイヤ１フィルタリング時間Ｔ、レイヤ３フィルタリング係数Ｋ等を含む。端末移動状態制御パラメータは、高移動状態に対応するスケール係数ｓｆ−Ｈｉｇｈ、中移動状態に対応するスケール係数ｓｆ−Ｍｅｄｉｕｍ等を含む。ターゲット・セル・サイズ制御パラメータは、大規模セルに対応するスケール係数ｓｆ−Ｌａｒｇｅ、小規模セルに対応するスケール係数ｓｆ−Ｓｍａｌｌ等を含む。モビリティ制御パラメータの初期値は上記パラメータの特定値である。
【００３１】
端末は、その移動状態を検出し、その移動状態に応じて、対応するスケール係数を選択して、ハンドオーバ制御パラメータをスケーリングする。Ｔｉｍｅ  Ｔｏ  Ｔｒｉｇｇｅｒを例として使用すれば、
ＵＥ自体が高移動状態にあるとＵＥが検出すると、ＵＥはＴｉｍｅ  Ｔｏ  Ｔｒｉｇｇｅｒを
Ｔｉｍｅ  Ｔｏ  Ｔｒｉｇｇｅｒ１  ＝＝  Ｔｉｍｅ  Ｔｏ  Ｔｒｉｇｇｅｒ  ×  ｓｆ−Ｈｉｇｈ
のようにスケーリングし、移動状態に応じてスケーリングが行われた後、ＵＥはターゲット・セルのサイズを判定し、ターゲット・セルのサイズに応じた、対応するセル・サイズ・スケール係数を選択して、Ｔｉｍｅ  Ｔｏ  Ｔｒｉｇｇｅｒをスケーリングする。
【００３２】
スケーリングが移動状態に応じて行われた後（例えば、スケーリングが高移動状態に応じて行われた後）、ターゲット・セルが小規模セルであるとＵＥが判定した場合、ＵＥは、Ｔｉｍｅ  Ｔｏ  Ｔｒｉｇｇｅｒ１を以下のようにスケーリングする。
【００３３】
Ｔｉｍｅ  Ｔｏ  Ｔｒｉｇｇｅｒ３  ＝＝  Ｔｉｍｅ  Ｔｏ  Ｔｒｉｇｇｅｒ１  ×  ｓｆ−Ｓｍａｌｌ、
ここでは、Ｔｉｍｅ  Ｔｏ  Ｔｒｉｇｇｅｒが説明のための例として使用されるにすぎない。他のハンドオーバ制御パラメータも上述の態様でスケーリングし得る。ＵＥは、スケーリングされたハンドオーバ制御パラメータに応じて首尾よく、ターゲット・セルにハンドオーバされる。その後、端末とターゲット・セルとの間の無線リンクに障害が生じ、端末は、再確立されたセルとの無線リンクを再確立する。
【００３４】
端末が、再確立されたセルと無線リンクを再確立した後、端末は通知メッセージを、再確立されたセルに送出し、通知メッセージは端末の移動速度情報及び／又はターゲット・セルのサイズ情報を収容する。
【００３５】
速度情報は端末の移動状態情報であり得、端末の移動状態情報は、端末が高移動状態、中移動状態、又は通常移動状態にあることを含む。移動状態を分類するための根拠は、特定の期間内のＵＥハンドオーバの数であり得る。例えば、特定時間内のＵＥハンドオーバの数が１０を超える場合、ＵＥは高移動状態にあり、特定時間内のＵＥハンドオーバの数が１０未満であるが５よりも大きい場合、ＵＥは中移動状態にあり、特定時間内のＵＥハンドオーバの数が５未満の場合、ＵＥは通常移動状態にある。明らかに、本明細書では、ＵＥの移動状態を分類するための原理は、例のみを使用することによって説明し、境界の特定値は異なり得る。
【００３６】
ターゲット・セルのサイズ情報は、ターゲット・セルが大規模セルであるか、又は中規模セルであるか、又は小規模セルであるか、又はピコ・セルであるということであり得る。セル・サイズを分類するための根拠はセルの基地局の電力であり得る。例えば、セルの基地局の電力が１０Ｗよりも高い場合、セルは大規模セルであり、セルの基地局の電力が５Ｗよりも高いが、１０Ｗよりも低い場合、セルは中規模セルであり、セルの基地局の電力が３Ｗよりも高いが５Ｗよりも低い場合、セルは小規模セルであり、セルの基地局の電力が３Ｗよりも小さい場合、セルはピコ・セルである。明らかに、本明細書では、セル・サイズを分類するための原理は、例のみを使用することによって説明し、境界の特定値は異なり得る。ＵＥは複数の態様でターゲット・セルのサイズ情報を取得し得る。例えば、ターゲット・セルは、システム報知又は専用シグナリングを使用することによってその電力又はサイズ情報を送出し得、ＵＥは、ターゲット・セルのシステム報知又は専用シグナリング（専用シグナリングはターゲット・セルにより、ＵＥに直接送出し得、又はソース・セルにより、ＵＥに転送し得る）を受信することによって得られるターゲット・セルの電力に応じてターゲット・セルのサイズ情報を導き出し、又は、ターゲット・セルのサイズ情報を直接取得する。
【００３７】
通知メッセージは更に、イベント・タイプ・フラグ及び／又はモビリティ制御パラメータを収容し、モビリティ制御パラメータは、ハンドオーバ制御パラメータ、端末移動状態制御パラメータ、及びターゲット・セル・サイズ制御パラメータの１つ又は何れかの組み合わせを含み、イベント・タイプ・フラグは、イベント・タイプが無線リンク障害である旨を示す。
【００３８】
通知メッセージは更に、ターゲット・セルの識別子及びソース・セルの識別子を収容する。
【００３９】
１０２.  再確立されたセルの基地局は、端末によって送出された通知メッセージを受信する。
【００４０】
通知メッセージは、端末の速度情報及び／又はターゲット・セルのサイズ情報を収容する。
【００４１】
１０３.  再確立されたセルの基地局は無線リンク障害表示メッセージをターゲット・セルに送出し、無線リンク障害表示メッセージは、端末の移動速度情報及び／又はターゲット・セルのサイズ情報を収容する。
【００４２】
再確立されたセルは、端末をターゲット・セルにハンドオーバすることができなかったことを、通知メッセージに収容されたターゲット・セルの識別子及びイベント・タイプ・フラグによって知り、よって、端末をターゲット・セルにハンドオーバすることができなかった後に端末が、再確立されたセルにおいて無線リンクを再確立する旨をターゲット・セルに通知する無線リンク障害表示メッセージをターゲット・セルに送出し、無線リンク障害表示メッセージは端末の移動速度情報及び／又はターゲット・セルのサイズ情報を含む。
【００４３】
無線リンク障害表示メッセージは更に、ソース・セルの識別子を収容する。
【００４４】
１０４.  ターゲット・セルの基地局は、再確立されたセルの基地局によって送出された無線リンク障害表示メッセージを受信する。
【００４５】
ターゲット・セルの基地局は、再確立されたセルの基地局によって送出された無線リンク障害表示メッセージを受信し、無線リンク障害表示メッセージは端末の移動速度情報、及び／又はターゲット・セルのサイズ情報を収容し、無線リンク障害表示メッセージは更に、モビリティ制御パラメータを収容し、モビリティ制御パラメータは、ハンドオーバ制御パラメータ、端末移動状態制御パラメータ、及びターゲット・セル・サイズ制御パラメータの１つ又は何れかの組み合わせを含む。
【００４６】
１０５.  ターゲット・セルの基地局はハンドオーバ通知メッセージをソース・セルに送出し、ハンドオーバ通知メッセージは端末の移動速度情報及び／又はターゲット・セルのサイズ情報を収容する。
【００４７】
ターゲット・セルは、端末がソース・セルから首尾よくハンドオーバされた後に無線リンクに障害が生じたことを、ソース・セルの識別子及びイベント・タイプ・フラグによって知り、よって、ハンドオーバ通知メッセージをソース・セルに送出し、ハンドオーバ通知メッセージは端末の移動速度情報及び／又はターゲット・セルのサイズ情報を収容し、ハンドオーバ通知メッセージは更にモビリティ制御パラメータを収容し、モビリティ制御パラメータはハンドオーバ制御パラメータ、端末移動状態制御パラメータ、及びターゲット・セル・サイズ制御パラメータの少なくとも１つを含む。
【００４８】
１０６.  ソース・セルの基地局は、ターゲット・セルによって送出されたハンドオーバ通知メッセージを受信し、ハンドオーバ通知メッセージは端末の移動速度情報及び／又はターゲット・セルのサイズ情報を収容する。
【００４９】
ソース・セルは、端末がソース・セルからターゲット・セルにハンドオーバされた後に無線リンクに障害が生じた旨を、受信されたハンドオーバ通知によって知る。
【００５０】
１０７.  ソース・セルの基地局は、ターゲット・セルのサイズ情報及び／又は端末の移動速度情報に応じてモビリティ制御パラメータを調節する。
【００５１】
ソース・セルの基地局は、ハンドオーバ通知メッセージに収容されたターゲット・セルのサイズ情報及び／又は端末の移動速度情報（例えば、ターゲット・セルが小規模セルであるとタ―ゲット・セルのサイズ情報によって知り、端末が高移動状態にあると移動速度情報によって知る）に応じてモビリティ制御パラメータを調節する。ソース・セルの基地局はモビリティ制御パラメータを調節する。
【００５２】
例えば、モビリティ制御パラメータＴｉｍｅ  Ｔｏ  Ｔｒｉｇｇｅｒの初期値は１０ｍｓであり、高移動状態に対応するスケール係数ｓｆ−Ｈｉｇｈは０．９であり、小規模セルに対応するスケール係数ｓｆ−Ｓｍａｌｌは０．８である。パラメータＴｉｍｅ  Ｔｏ  Ｔｒｉｇｇｅｒ＝１０＊０．９＊０．８＝７．２ｍｓに応じて端末がターゲット・セルにハンドオーバされる場合、初期値により、首尾よく行われるハンドオーバ、及びそれに続く、ＵＥとターゲット・セルとの間の無線リンク障害が生じる。端末が高移動状態にあり、ターゲット・セルが小規模セルであるという知った情報により、端末は、Ｔｉｍｅ  Ｔｏ  Ｔｒｉｇｇｅｒを９ｍｓに、ｓｆ−Ｈｉｇｈを０．８に、ｓｆ−Ｓｍａｌｌを０．７に調節する。
【００５３】
ここでは、いくつかのパラメータのみが説明の目的のための例として使用される。ソース・セルは更に、ターゲット・セルのサイズ情報及び／又は端末の移動速度情報に応じて他のモビリティ制御パラメータを相応に調節して、端末リンク接続失敗率と、端末ピンポン・ハンドオーバ・レートとの間のよりよいバランスを確実にし得る。
【００５４】
１０８.  ソース・セルの基地局は、調節されたモビリティ制御パラメータを端末に送出する。
【００５５】
モビリティ制御パラメータを調節した後、ソース・セルが、調節されたモビリティ制御パラメータを端末に送出して、端末が、調節されたモビリティ制御パラメータに応じてセル・ハンドオーバを行い、端末リンク接続失敗率と端末ピンポン・ハンドオーバ・レートとの間のよりよいバランスを確実にする。
【００５６】
本発明の実施例では、端末は、通知メッセージを、再確立されたセルに送出し、通知メッセージは端末の速度情報及び／又はターゲット・セルのサイズ情報を収容し、再確立されたセルは、無線リンク障害表示メッセージをターゲット・セルに送出し、ソース・セルは、ターゲット・セルによって送出されたハンドオーバ通知メッセージを受信し、ハンドオーバ通知メッセージはターゲット・セルのサイズ情報及び／又は端末の移動速度情報を収容し、ソース・セルは、端末の移動速度情報及び／又はターゲット・セルのサイズ情報に応じてモビリティ制御パラメータを調節し、調節されたモビリティ制御パラメータを端末に送出する。ソース・セルがモビリティ制御パラメータの初期値を供給した後に手作業で制御パラメータが調節される従来技術と比較すると、本発明の実施例において提供される、制御パラメータを調節する方法は、ソース・セルが、端末の移動速度情報及び／又はターゲット・セルのサイズ情報に応じてモビリティ制御パラメータを自動的に調節することを可能にし、それにより、端末リンク接続失敗率と端末ピンポン・ハンドオーバ・レートとの間のよりよいバランスが確実にされる。
【００５７】
任意的には、上記実施例を基に、再確立されたセルはソース・セルであり得、又は、更に、ターゲット・セルであり得る。再確立されたセルがソース・セルである場合、工程１０３乃至１０６を省略し得、ソース・セルの基地局は、通知メッセージに収容された情報に応じてパラメータを、通知メッセージを受信した後に調節する。再確立されたセルがターゲット・セルである場合、工程１０３及び１０４を省略し得、ターゲット・セルの基地局は、通知メッセージに収容された情報をソース・セルに、通知メッセージを受信した後に送出し、ソース・セルの基地局は通知メッセージに収容された情報に応じてパラメータを調節する。
【００５８】
任意的には、上記実施例において、ソース・セルは、通知メッセージを受信した後、毎度、パラメータを調節する。実際には、閾値を設定し得る。パラメータは、通知メッセージ量が、設定された閾値に達した場合にのみ、調節される。上記実施例では、閾値が設定された場合、ターゲット・セルによって送出され、ソース・セルによって受信されたハンドオーバ通知メッセージの量が、設定された閾値を超える場合、工程１０６の後、方法は更に、ターゲット・セルのサイズ情報及び／又は端末の移動速度情報を分類し、最大メッセージ量に対応するターゲット・セルのサイズ情報及び／又は端末の移動速度情報を判定し、工程１０７は、最大メッセージ量に対応するターゲット・セルのサイズ情報及び／又は端末の移動速度情報に応じてモビリティ制御パラメータを調節する工程に修正される。
【００５９】
具体的な処理は、無線リンク障害表示メッセージ又はハンドオーバ通知メッセージに収容された端末の移動速度情報を分類し、分類後に端末の移動速度情報のタイプに対応する無線リンク障害表示メッセージ又はハンドオーバ通知メッセージの量を判定し、無線リンク障害表示メッセージ又はハンドオーバ通知メッセージの最大量に対応する端末の移動速度情報のタイプを判定し、無線リンク障害表示メッセージ又はハンドオーバ通知メッセージの最大量に対応する端末の移動速度情報のタイプに応じてモビリティ制御パラメータを調節し、調節されたモビリティ制御パラメータを端末に送出する工程、又は、
無線リンク障害表示メッセージ又はハンドオーバ通知メッセージに収容されたターゲット・セルのサイズ情報を分類し、分類後にターゲット・セルのサイズ情報のタイプに対応する無線リンク障害表示メッセージ又はハンドオーバ通知メッセージの量を判定し、無線リンク障害表示メッセージ又はハンドオーバ通知メッセージの最大量に対応するターゲット・セルのサイズ情報のタイプを判定し、無線リンク障害表示メッセージ又はハンドオーバ通知メッセージの最大量に対応するターゲット・セルのサイズ情報のタイプに応じてモビリティ制御パラメータを調節し、調節されたモビリティ制御パラメータを端末に送出する工程、又は、
無線リンク障害表示メッセージ又はハンドオーバ通知メッセージに収容された端末の移動速度情報のタイプ及びターゲット・セルのサイズ情報のタイプの組み合わせタイプを判定し、組み合わせタイプに対応する無線リンク障害表示メッセージ又はハンドオーバ通知メッセージの量を判定し、無線リンク障害表示メッセージ又はハンドオーバ通知メッセージの最大量に対応する組み合わせタイプを判定し、無線リンク障害表示メッセージ又はハンドオーバ通知メッセージの最大量に対応する組み合わせタイプに応じてモビリティ制御パラメータを調節し、調節されたモビリティ制御パラメータを端末に送出する工程を含み得る。
【００６０】
任意的には、上記実施例では、閾値は、受信されたメッセージの量に応じて設定される。実際には、メッセージが受信された後、毎度、すなわち、工程１０６の後、ハンドオーバ通知メッセージに収容されたターゲット・セルのサイズ情報及び／又は端末の移動速度情報を分類し得、端末の移動速度情報のタイプ、あるいはタ―ゲット・セルのサイズ情報のタイプ、あるいは無線リンク障害表示メッセージハンドオーバ通知メッセージ又はハンドオーバ通知メッセージの最大量に対応する組み合わせタイプを判定し得、何れかのタイプに対応する無線リンク障害表示メッセージ又はハンドオーバ通知メッセージの量が設定された閾値を超える場合、工程１０７が、端末の移動速度情報のタイプ、あるいはターゲット・セルのサイズ情報のタイプ、あるいは無線リンク障害表示メッセージ又はハンドオーバ通知メッセージの最大量に対応する組み合わせタイプを調節する工程に修正される。
【００６１】
上記実施例では、ソース・セルによってモビリティ制御パラメータを調節する処理を詳細に説明している。実際には、再確立されたセル及びターゲット・セルは更に、端末の移動速度情報及び／又はターゲット・セルのサイズ情報に応じてパラメータを調節し得、又は閾値を更に設定し得、受信されたメッセージの量が、設定された閾値に達すると、モビリティ制御パラメータが、最大メッセージ量に対応するターゲット・セルのサイズ情報及び／又は端末の移動速度情報に応じて調節され、調節されたモビリティ制御パラメータは端末に送出される。
【００６２】
図２を参照するに、本発明の実施例による、制御パラメータを調節する方法の別の実施例は、
２０１．  端末は通知メッセージを、再確立されたセルに送出し、通知メッセージは端末の速度情報及び／又はターゲット・セルのサイズ情報を収容する。
【００６３】
端末をソース・セルからターゲット・セルにハンドオーバすることに失敗した後、端末は、再確立されたセルを選択し、再確立されたセルとの無線リンクを確立した後、通知メッセージを、再確立されたセルに送出し、通知メッセージは、端末の移動速度情報及び／又はターゲット・セルのサイズ情報を収容する。
【００６４】
速度情報は端末の移動状態情報であり得、端末の移動状態情報とは、端末が高移動状態、中移動状態、又は通常移動状態にあることである。移動状態を分類するための根拠は、特定の期間内のＵＥハンドオーバの数であり得る。例えば、特定時間内のＵＥハンドオーバの数が１０を超える場合、ＵＥは高移動状態にあり、特定時間内のＵＥハンドオーバの数が１０未満であるが５よりも大きい場合、ＵＥは中移動状態にあり、特定時間内のＵＥハンドオーバの数が５未満の場合、ＵＥは通常移動状態にある。明らかに、本明細書では、ＵＥの移動状態を分類するための原理は、例のみを使用することによって説明し、境界の特定値は異なり得る。
【００６５】
ターゲット・セルのサイズ情報とは、ターゲット・セルが大規模セルであるか、又は中規模セルであるか、又は小規模セルであるか、又はピコ・セルであるということである。セル・サイズを分類するための根拠はセルの基地局の電力であり得る。例えば、セルの基地局の電力が１０Ｗよりも高い場合、セルは大規模セルであり、セルの基地局の電力が５Ｗよりも高いが、１０Ｗよりも低い場合、セルは中規模セルであり、セルの基地局の電力が３Ｗよりも高いが５Ｗよりも低い場合、セルは小規模セルであり、セルの基地局の電力が３Ｗよりも低い場合、セルはピコ・セルである。明らかに、本明細書では、セル・サイズを分類するための原理は、例のみを使用することによって説明し、境界の特定値は異なり得る。ＵＥは複数の態様でターゲット・セルのサイズ情報を取得し得る。例えば、ターゲット・セルは、システム報知又は専用シグナリングを使用することによってその電力又はサイズ情報を送出し得、ＵＥは、ターゲット・セルのシステム報知又は専用シグナリング（専用シグナリングは、ターゲット・セルにより、ＵＥに直接送出し得、又はソース・セルにより、ＵＥに転送し得る）を受信することによって得られるターゲット・セルの電力に応じてターゲット・セルのサイズ情報を導き出し、又は、ターゲット・セルのサイズ情報を直接取得する。
【００６６】
通知メッセージは更に、イベント・タイプ・フラグ及び／又はモビリティ制御パラメータを収容し、モビリティ制御パラメータは、ハンドオーバ制御パラメータ、端末移動状態制御パラメータ、及びターゲット・セル・サイズ制御パラメータの１つ又は何れかの組み合わせを含み、イベント・タイプ・フラグは、イベント・タイプが無線リンク障害である旨を示す。
【００６７】
２０２．  再確立されたセルの基地局は、端末によって送出された通知メッセージを受信する。
【００６８】
通知メッセージは、端末の速度情報及び／又はターゲット・セルのサイズ情報を収容する。
【００６９】
２０３．  再確立されたセルの基地局は無線リンク障害表示メッセージをソース・セルに送出し、無線リンク障害表示メッセージは、端末の移動速度情報及び／又はターゲット・セルのサイズ情報を収容する。
【００７０】
再確立されたセルの基地局は無線リンク障害表示メッセージをソース・セルの基地局に送出し、無線リンク障害表示メッセージは、端末の移動速度情報及び／又はターゲット・セルのサイズ情報を収容し、更に、本実施例ではハンドオーバ障害であるイベント・タイプ・フラグを収容する。
【００７１】
２０４．  ソース・セルの基地局は、再確立されたセルによって送出された無線リンク障害表示メッセージを受信し、無線リンク障害表示メッセージは、端末の移動速度情報及び／又はターゲット・セルのサイズ情報を収容する。
【００７２】
２０５．  ソース・セルの基地局は、ターゲット・セルのサイズ情報及び／又は端末の移動速度情報に応じてモビリティ制御パラメータを調節する。
【００７３】
無線リンク障害表示メッセージは更に、本実施例ではハンドオーバ障害であるイベント・タイプ・フラグを収容する。ソース・セルは、モビリティ制御パラメータの初期値に応じて端末がハンドオーバされたが、ハンドオーバに障害が生じた旨をイベント・タイプ・フラグによって知り、無線リンク障害表示メッセージに収容されたターゲット・セルのサイズ情報及び／又は端末の移動速度情報に応じてモビリティ制御パラメータを調節して、端末リンク接続失敗率と端末ピンポン・ハンドオーバ・レートとの間のよりよいバランスを確実にする。
【００７４】
２０６．  ソース・セルの基地局は、調節されたモビリティ制御パラメータを端末に送出する。
【００７５】
モビリティ制御パラメータを調節した後、ソース・セルの基地局が、調節されたモビリティ制御パラメータを端末に送出して、端末が、調節されたモビリティ制御パラメータに応じてセル・ハンドオーバを行うことを確実にし、端末リンク接続失敗率と端末ピンポン・ハンドオーバ・レートとの間のよりよいバランスを確実にする。
【００７６】
本発明の実施例では、端末は、通知メッセージを、再確立されたセルに送出し、通知メッセージは端末の速度情報及び／又はターゲット・セルのサイズ情報を収容し、再確立されたセルは、無線リンク障害表示メッセージをソース・セルに送出し、ソース・セルは、再確立されたセルによって送出された無線リンク障害表示メッセージを受信し、無線リンク障害表示メッセージは端末の移動速度情報及び／又はターゲット・セルのサイズ情報を収容し、ソース・セルは、ターゲット・セルのサイズ情報及び／又は端末の移動速度情報に応じてモビリティ制御パラメータを調節し、調節されたモビリティ制御パラメータを端末に送出する。ソース・セルがモビリティ制御パラメータの初期値を供給した後に手作業で制御パラメータが調節される従来技術と比較すると、本発明の実施例において提供される、制御パラメータを調節する方法は、ソース・セルが、端末の移動速度情報及び／又はターゲット・セルのサイズ情報に応じてモビリティ制御パラメータを自動的に調節することを可能にし、それにより、端末リンク接続失敗率と端末ピンポン・ハンドオーバ・レートとの間のよりよいバランスが確実にされる。
【００７７】
任意的には、上記実施例を基に、再確立されたセルはソース・セルであり得、又は、更に、ターゲット・セルであり得る。再確立されたセルがソース・セルである場合、工程２０３及び２０４を省略し得る。ＵＥの通知メッセージを受信した後、ソース・セルは通知メッセージに収容された情報に応じてパラメータを調節する。
【００７８】
任意的には、上記実施例において、ソース・セルは、通知メッセージを受信した後、毎度、パラメータを調節する。実際には、閾値を設定し得る。パラメータは、通知メッセージ量が、設定された閾値に達した場合にのみ、調節される。上記実施例では、閾値が設定された場合、再確立されたセルによって送出され、ソース・セルによって受信された無線リンク障害表示メッセージの量が、設定された閾値を超える場合、工程２０４の後、方法は更に、ターゲット・セルのサイズ情報及び／又は端末の移動速度情報を分類し、最大メッセージ量に対応するターゲット・セルのサイズ情報及び／又は端末の移動速度情報を判定し、工程２０５は、最大メッセージ量に対応するターゲット・セルのサイズ情報及び／又は端末の移動速度情報に応じてモビリティ制御パラメータを調節する工程に修正される。
【００７９】
任意的には、上記実施例では、閾値は、受信されたメッセージの量に応じて設定される。実際には、メッセージが受信された後、毎度、すなわち、工程２０４の後、ハンドオーバ通知メッセージに収容されたターゲット・セルのサイズ情報及び／又は端末の移動速度情報を分類し得、端末の移動速度情報のタイプ、あるいはタ―ゲット・セルのサイズ情報のタイプ、あるいは無線リンク障害表示メッセージ又はハンドオーバ通知メッセージの最大量に対応する組み合わせタイプを判定し得、何れかのタイプに対応する無線リンク障害表示メッセージ又はハンドオーバ通知メッセージの量が設定された閾値を超える場合、工程２０５が、端末の移動速度情報のタイプ、あるいはターゲット・セルのサイズ情報のタイプ、あるいは無線リンク障害表示メッセージ又はハンドオーバ通知メッセージの最大量に対応する組み合わせタイプを調節する工程に修正される。
【００８０】
上記実施例では、ソース・セルによってモビリティ制御パラメータを調節する処理を詳細に説明している。実際には、再確立されたセルは更に、端末の移動速度情報及び／又はターゲット・セルのサイズ情報に応じてパラメータを調節し得、又は閾値を更に設定し得、受信されたメッセージの量が、設定された閾値を達すると、モビリティ制御パラメータが、最大メッセージ量に対応するターゲット・セルのサイズ情報及び／又は端末の移動速度情報に応じて調節され、調節されたモビリティ制御パラメータは端末に送出される。
【００８１】
実施例では、再確立されたセルの基地局は、端末の移動速度情報及び／又はターゲット・セルのサイズ情報を、ソース・セルの基地局及びターゲット・セルの基地局の少なくとも一方に送出し、よって、再確立されたセルの基地局、ソース・セルの基地局、及びターゲット・セルの基地局の少なくとも１つが、ターゲット・セルのサイズ情報及び／又は端末の移動速度情報に応じてモビリティ制御パラメータを調節する。
【００８２】
図３を参照するに、本発明の実施例における端末３０は、無線リンク再確立装置３０１、取得装置３０２、及び送出装置３０３を含む。
【００８３】
無線リンク再確立装置３０１は、端末をソース・セルからターゲット・セルにハンドオーバすることができないか、又は端末がソース・セルからターゲット・セルに首尾よくハンドオーバされ、端末とターゲット・セルとの間に確立された無線リンク上で無線リンク接続障害が生じた場合に、再確立されたセルとの無線リンクを再確立するよう構成される。
【００８４】
取得装置３０２は、ターゲット・セルの専用シグナリング又はシステム報知を使用することにより、ターゲット・セルの電力を取得し、ターゲット・セルの電力に応じてターゲット・セルのサイズ情報を取得し、又は、ターゲット・セルの専用シグナリング又はシステム報知に収容されたターゲット・セルのサイズ情報を取得する。
【００８５】
送出装置３０３は、無線リンク再確立装置３０１が、再確立されたセルとの無線リンクを再確立した後に、再確立されたセルの基地局に通知メッセージを送出し、通知メッセージはターゲット・セルのサイズ情報及び／又は端末の速度情報を収容し、よって、再確立されたセルの基地局は、ターゲット・セルのサイズ情報及び／又は端末の移動速度情報に応じてモビリティ制御パラメータを調節し、調節されたモビリティ制御パラメータを端末に送出するよう構成される。
【００８６】
本発明の実施例では、端末をソース・セルからターゲット・セルにハンドオーバできなかった場合、又は、端末がソース・セルからターゲット・セルに首尾よくハンドオーバされ、無線リンク接続障害が端末とターゲット・セルとの間で確立された無線リンク上で生じた場合、端末３０の無線リンク再確立装置３０１は、再確立されたセルとの無線リンクを再確立し、取得装置３０２はターゲット・セルのサイズ情報を取得し、送出装置３０３は、無線リンク再確立装置３０１が、再確立されたセルと無線リンクを再確立した後に通知メッセージを、再確立されたセルに送出し、通知メッセージは、端末の速度情報及び／又はターゲット・セルのサイズ情報を収容する。従来技術と比較すれば、本発明の実施例において提供される端末は、ターゲット・セルのサイズ情報及び／又は端末の速度情報をアクティブに通知し、よって、セルの基地局は、上記情報に応じてモビリティ制御パラメータを調節し、それにより、端末無線リンク接続失敗率と、端末ピンポン・ハンドオーバ・レートとの間のよりよいバランスが確実にされ得る。
【００８７】
図４を参照するに、本発明の実施例における基地局の実施例は、第１の受信装置４０１、第１の送出装置４０２、及び第１のパラメータ調節装置４０３を含む。
【００８８】
第１の受信装置４０１は、端末によって送出された通知メッセージを受信し、通知メッセージは、端末の移動速度情報及び／又はターゲット・セルのサイズ情報を収容し、端末によって送出されたソース・セルの識別子又はターゲット・セルの識別子を受信するよう構成される。
【００８９】
第１の送出装置４０２は、ソース・セルの識別子又はターゲット・セルの識別子に応じてソース・セルの基地局又はターゲット・セルの基地局に無線リンク障害表示メッセージを送出するよう構成され、無線リンク障害表示メッセージは、ターゲット・セルのサイズ情報及び／又は端末の移動速度情報を収容し、よって、ソース・セルの基地局は、ターゲット・セルのサイズ情報及び／又は端末の移動速度情報に応じてモビリティ制御パラメータを調節し、調節されたモビリティ制御パラメータを端末に送出する。
【００９０】
第１のパラメータ調節装置４０３は、第１の受信装置４０１によって受信されたターゲット・セルのサイズ情報及び／又は端末の移動速度情報に応じてモビリティ制御パラメータを調節するよう構成される。
【００９１】
第１の送出装置４０２は、第１のパラメータ調節装置４０３によって調節されたモビリティ制御パラメータを端末に送出するよう更に構成される。
【００９２】
本発明の実施例において提供される基地局では、第１の受信装置４０１は端末によって送出された通知メッセージを受信し、通知メッセージはターゲット・セルのサイズ情報及び／又は端末の移動速度情報を収容し、端末によって送出されたソース・セルの識別子又はターゲット・セルの識別子を受信し、第１の送出装置４０２は、ソース・セルの識別子又はターゲット・セルの識別子に応じてソース・セルの基地局又はターゲット・セルの基地局に無線リンク障害表示メッセージを送出するよう構成され、よって、ソース・セルの基地局は、ターゲット・セルのサイズ情報及び／又は端末の移動速度情報に応じてモビリティ制御パラメータを調節し、調節されたモビリティ制御パラメータを端末に送出する。このことにより、端末無線リンク接続失敗率と端末ピンポン・ハンドオーバ・レートとの間のよりよいバランスが確実にされる。
【００９３】
本発明の実施例では、第１のパラメータ調節装置４０３は、第１の受信装置４０１によって受信されたターゲット・セルのサイズ情報及び／又は端末の移動速度情報に応じてモビリティ制御パラメータを更に調節し得、第１の送出装置４０２は、第１のパラメータ調節装置によって調節されたモビリティ制御パラメータを端末に送出する。
【００９４】
図５を参照するに、本発明の実施例における基地局の別の実施例は、第２の受信装置５０１、第２の送出装置５０２、及び第２のパラメータ調節装置５０３を含む。
【００９５】
第２の受信装置５０１は、再確立されたセルの基地局によって送出された無線リンク障害表示メッセージを受信するよう構成され、無線リンク障害表示メッセージが、タ―ゲット・セルのサイズ情報及び／又は端末の移動速度情報を収容する。
【００９６】
第２の送出装置５０２は、ソース・セルの基地局にハンドオーバ通知メッセージを送出するよう構成され、ハンドオーバ通知メッセージはターゲット・セルのサイズ情報及び／又は端末の移動速度情報を収容し、よって、ソース・セルの基地局は、ターゲット・セルのサイズ情報及び／又は端末の移動速度情報に応じてモビリティ制御パラメータを調節し、調節されたモビリティ制御パラメータを端末に送出する。
【００９７】
第２のパラメータ調節装置５０３は、第２の受信装置５０１によって受信されたターゲット・セルのサイズ情報及び／又は端末の移動速度情報に応じてモビリティ制御パラメータを調節するよう構成される。
【００９８】
第２の送出装置は、第２のパラメータ調節装置５０３によって調節されたモビリティ制御パラメータを端末に送出するよう更に構成される。
【００９９】
本発明の実施例では、第２の受信装置５０１は、再確立されたセルの基地局によって送出された無線リンク障害表示メッセージを受信し、無線リンク障害表示メッセージは、ターゲット・セルのサイズ情報及び／又は端末の移動速度情報を収容し、第２の送出装置５０２はハンドオーバ通知メッセージをソース・セルの基地局に送出し、ハンドオーバ通知メッセージはターゲット・セルのサイズ情報及び／又は端末の移動速度情報を収容し、よって、ソ―ス・セルの基地局はターゲット・セルのサイズ情報及び／又は端末の移動速度情報に応じてモビリティ制御パラメータを調節し、調節されたモビリティ制御パラメータを端末に送出する。このことにより、端末無線リンク接続失敗率と端末ピンポン・ハンドオーバ・レートとの間のよりよいバランスが確実にされる。
【０１００】
本発明の実施例では、第２のパラメータ調節装置５０３は、第２の受信装置５０１によって受信されたターゲット・セルのサイズ情報及び／又は端末の移動速度情報に応じてモビリティ制御パラメータを更に調節し得、第２の送出装置５０２は、第２のパラメータ調節装置によって調節されたモビリティ制御パラメータを端末に送出する。
【０１０１】
図６を参照するに、本発明の実施例における基地局の実施例は、第３の受信装置６０１、第３のパラメータ調節装置６０２、及び第３の送出装置６０３を含む。
【０１０２】
第１の受信装置６０１は、再確立されたセルの基地局によって送出された無線リンク障害表示メッセージ、又はターゲット・セルの基地局によって送出されたハンドオーバ通知メッセージを受信するよう構成され、無線リンク障害表示メッセージ又はハンドオーバ通知メッセージが、ターゲット・セルのサイズ情報及び／又は端末の移動速度情報を収容する。
【０１０３】
第３のパラメータ調節装置６０２は、第１の受信装置６０１によって受信されたハンドオーバ通知メッセージ又は無線リンク障害表示メッセージに収容されたターゲット・セルのサイズ情報及び／又は端末の移動速度情報に応じてモビリティ制御パラメータを調節するよう構成される。
【０１０４】
第３の送出装置６０３は、パラメータ調節装置６０２によって調節されたモビリティ制御パラメータを端末に送出するよう構成される。
【０１０５】
本発明の実施例では、第３の受信装置６０１は、ターゲット・セルの基地局によって送出されたハンドオーバ通知メッセージ、又は再確立されたセルの基地局によって送出された無線リンク障害表示メッセージを受信し、メッセージは、ターゲット・セルのサイズ情報及び／又は端末の移動速度情報を収容し、第３のパラメータ調節装置４０２は、第３の受信装置６０１によって受信されたメッセージに収容されたターゲット・セルのサイズ情報及び／又は端末の移動速度情報に応じてモビリティ制御パラメータを調節し、第３の送出装置６０３は、第３のパラメータ調節装置６０２がモビリティ制御パラメータを調節した後に、モビリティ制御パラメータを端末に送出する。本発明の実施例では、基地局は、ターゲット・セルのサイズ情報及び／又は端末の移動速度情報に応じてモビリティ制御パラメータを調節し、それにより、端末無線リンク接続失敗率と端末ピンポン・ハンドオーバ・レートとの間のよりよいバランスが確実にされる。
【０１０６】
図７を参照するに、本発明の実施例における基地局の別の実施例は、情報分類装置６０４、判定装置６０５、第３のパラメータ調節装置６０２、及び第３の送出装置６０３を更に含む。
【０１０７】
情報分類装置６０４は、無線リンク障害表示メッセージ又はハンドオーバ通知メッセージに収容された端末の移動速度情報を分類するか、又は、無線リンク障害表示メッセージ又はハンドオーバ通知メッセージに収容されたターゲット・セルのサイズ情報を分類するよう構成される。
【０１０８】
判定装置６０５は、情報分類装置６０４が端末の移動速度情報を分類した後、分類後、端末の移動速度情報のタイプに対応するハンドオーバ通知メッセージ又は無線リンク障害表示メッセージの量を判定し、無線リンク障害表示メッセージ又はハンドオーバ通知メッセージの最大量に対応する端末の移動速度情報のタイプを判定し、又は、情報分類装置６０４がターゲット・セルのサイズ情報を分類した後、分類後、ターゲット・セルのサイズ情報のタイプに対応するハンドオーバ通知メッセージ又は無線リンク障害表示メッセージの量を判定し、無線リンク障害表示メッセージ又はハンドオーバ通知メッセージの最大量に対応するターゲット・セルのサイズ情報のタイプを判定し、又は、無線リンク障害表示メッセージ又はハンドオーバ通知メッセージに収容された端末の移動速度情報のタイプ、及びターゲット・セルのサイズ情報のタイプの組み合わせタイプを判定し、組み合わせタイプに対応する無線リンク障害表示メッセージ又はハンドオーバ通知メッセージの量を判定し、無線リンク障害表示メッセージ又はハンドオーバ通知メッセージの最大量に対応する組み合わせタイプを判定する。
【０１０９】
パラメータ調節装置６０２は更に、判定装置６０５がハンドオーバ通知メッセージ又は無線リンク障害表示メッセージの最大量に対応する端末の移動速度情報のタイプを判定した後、ハンドオーバ通知メッセージ又は無線リンク障害表示メッセージの最大量に対応する端末の移動速度情報のタイプに応じてモビリティ制御パラメータを調節し、あるいは、判定装置６０５が、ハンドオーバ通知メッセージ又は無線リンク障害表示メッセージの最大量に対応するターゲット・セルのサイズ情報のタイプを判定した後、ハンドオーバ通知メッセージ又は無線リンク障害表示メッセージの最大量に対応するターゲット・セルのサイズ情報のタイプに応じてモビリティ制御パラメータを調節し、あるいは、判定装置６０５が、ハンドオーバ通知メッセージ又は無線リンク障害表示メッセージの最大量に対応する組み合わせタイプを判定した後、ハンドオーバ通知メッセージ又は無線リンク障害表示メッセージの最大量に対応する組み合わせタイプに応じてモビリティ制御パラメータを調節する。
【０１１０】
第１の送出装置６０３は、パラメータ調節装置６０２によって調節されたモビリティ制御パラメータを端末に送出するよう更に構成される。
【０１１１】
本発明の実施例では、閾値が基地局側で設定される。基地局６０の第３の受信装置６０１によって受信されたメッセージの量が、設定された閾値を超えると、情報分類装置６０４は、ターゲット・セルのサイズ情報及び／又は端末の移動速度情報を分類し、判定装置６０５は、最大メッセージ量に対応するターゲット・セルのサイズ情報及び／又は端末の移動速度情報を判定する。第３のパラメータ調節装置６０２は、最大メッセージ量に応じてターゲット・セルのサイズ情報及び／又は端末の移動速度情報に応じてモビリティ制御パラメータを調節し、第３の送出装置６０３は、調節されたモビリティ制御パラメータを端末に送出する。基地局は、ターゲット・セルのサイズ情報及び／又は端末の移動速度情報に応じてモビリティ制御パラメータを調節し、それにより、端末無線リンク接続失敗率と端末ピンポン・ハンドオーバ・レートとの間のよりよいバランスが確実にされる。図４又は図５に対応する実施例における基地局は、更に、情報分類装置及び判定装置を含み得る。具体的な実行処理は図７に対応する基地局の実行処理と同じである。
【０１１２】
図８を参照するに、本発明の実施例による、制御パラメータを調節するシステムの実施例は、端末３０と、第１の基地局７０と、第２の基地局８０と、第３の基地局９０とを含む。
【０１１３】
端末３０が第１の基地局７０から第２の基地局８０に首尾よくハンドオーバされ、無線リンク接続障害が、端末３０と第２の基地局８０との間で確立された無線リンク上で生じた場合、端末３０は、第３の基地局９０との間で無線リンクを再確立し、通知メッセージを第３の基地局９０に送出し、通知メッセージは端末の速度情報及び／又はターゲット・セルのサイズ情報を収容する。
【０１１４】
第３の基地局９０が、端末３０によって送出された通知メッセージを受信し、端末によって送出されたソース・セルの識別子又はターゲット・セルの識別子を受信した後、第３の基地局９０は、ターゲット・セルの識別子又はソース・セルの識別子に応じて第２の基地局８０に無線リンク障害表示を送出し、無線リンク障害表示メッセージは端末の移動速度情報及び／又はターゲット・セルのサイズ情報を収容する。
【０１１５】
第２の基地局８０が、第３の基地局９０によって送出された無線リンク障害表示メッセージを受信した後、第２の基地局８０はソース・セルの識別子に応じて第１の基地局７０にハンドオーバ通知メッセージを送出し、ハンドオーバ通知メッセージは、端末の移動速度情報及び／又はターゲット・セルのサイズ情報を収容する。
【０１１６】
第１の基地局は、第２の基地局８０によって送出されたハンドオーバ通知メッセージを受信し、ハンドオーバ通知メッセージは端末の移動速度情報及び／又はターゲット・セルのサイズ情報を収容する。
【０１１７】
第１の基地局７０は、ターゲット・セルのサイズ情報及び／又は端末の移動速度情報に応じてモビリティ制御パラメータを調節し、調節されたモビリティ制御パラメータを端末３０に送出する。
【０１１８】
本発明の実施例では、端末は、通知メッセージを、第３の基地局に送出し、通知メッセージは端末の速度情報及び／又はターゲット・セルのサイズ情報を収容し、第３の基地局は、無線リンク障害表示メッセージを第２の基地局に送出し、第２の基地局はハンドオーバ通知メッセージを第１の基地局に送出し、ハンドオーバ通知メッセージはターゲット・セルのサイズ情報及び／又は端末の移動速度情報を収容し、第１の基地局は、端末の移動速度情報及び／又はターゲット・セルのサイズ情報に応じてモビリティ制御パラメータを調節し、調節されたモビリティ制御パラメータを端末に送出する。基地局は、別の基地局によって送出されたメッセージに収容されたターゲット・セルのサイズ情報及び／又は端末の移動速度情報に応じてモビリティ制御パラメータを調節し、それにより、端末無線リンク接続失敗率と端末ピンポン・ハンドオーバ・レートとの間のよりよいバランスが確実にされる。
【０１１９】
任意的には、図８に対応する実施例では、第２の基地局及び第３の基地局は更に、パラメータを調節し、調節されたモビリティ制御パラメータを端末に送出し得る。
【０１２０】
図９に示すように、本発明の実施例による、制御パラメータを調節するシステムの別の実施例は、端末３０と、第１の基地局７０と、第２の基地局８０と、第３の基地局９０とを含む。
【０１２１】
端末３０を第１の基地局７０から第２の基地局８０にハンドオーバすることができなかった場合、端末３０は第３の基地局９０との無線リンクを再確立し、端末は通知メッセージを第３の基地局９０に送出し、通知メッセージはターゲット・セルのサイズ情報及び／又は端末の速度情報を収容する。
【０１２２】
第３の基地局９０が、端末３０によって送出された通知メッセージを受信した後、第３の基地局９０は、ソース・セルの識別子に応じて第１の基地局７０に無線リンク障害表示メッセージを送出し、無線リンク障害表示メッセージは、ターゲット・セルのサイズ情報及び／又は端末の移動速度情報を収容する。
【０１２３】
第１の基地局７０は、第３の基地局９０によって送出された無線リンク障害表示メッセージを受信し、無線リンク障害表示メッセージは、端末の移動速度情報及び／又はターゲット・セルのサイズ情報を収容する。
【０１２４】
第１の基地局７０は、ターゲット・セルのサイズ情報及び／又は端末の移動速度情報に応じてモビリティ制御パラメータを調節し、調節されたモビリティ制御パラメータを端末３０に送出する。
【０１２５】
本発明の実施例では、端末は、通知メッセージを、第３の基地局に送出し、通知メッセージは端末の速度情報及び／又はターゲット・セルのサイズ情報を収容し、第３の基地局は、無線リンク障害表示メッセージを第１の基地局に送出し、無線リンク障害表示メッセージはターゲット・セルのサイズ情報及び／又は端末の移動速度情報を収容し、第１の基地局は、端末の移動速度情報及び／又はターゲット・セルのサイズ情報に応じてモビリティ制御パラメータを調節し、調節されたモビリティ制御パラメータを端末に送出する。基地局は、別の基地局によって送出されたメッセージに収容されたターゲット・セルのサイズ情報及び／又は端末の移動速度情報に応じてモビリティ制御パラメータを調節し、それにより、端末無線リンク接続失敗率と端末ピンポン・ハンドオーバ・レートとの間のよりよいバランスが確実にされる。
【０１２６】
任意的には、図８に対応する実施例では、第３の基地局は更に、パラメータを調節し、調節されたモビリティ制御パラメータを端末に送出し得る。
【０１２７】
上述の実施例における種々の方法の工程の全部又は一部を、関連するハードウェアを指示するプログラムによって実現し得るということを当業者は理解し得る。プログラムはコンピュータ読み取り可能な記憶媒体に記憶し得る。記憶媒体は、ＲＯＭ，ＲＡＭ、磁気ディスク、又は光ディスク等を含み得る。
【図１】
0005788098.tif 000002
【図２】
0005788098.tif 000003
【図３】
0005788098.tif 000004
【図４】
0005788098.tif 000005
【図５】
0005788098.tif 000006
【図６】
0005788098.tif 000007
【図７】
0005788098.tif 000008
【図８】
0005788098.tif 000009
【図９】
0005788098.tif 000010